(57)【要約】【課題】視野異常者が薬を服用する場合であっても飲み忘れなどを防止することを可能とする服用薬収納具を提供することである。【解決手段】視野異常者のための服用薬収納具１０は、ＰＴＰ包装された錠剤６をスライド可能に挟持する挟持部３２を含む薬収納シート１２が複数設けられた視野異常者のための服用薬収納具１０であって、挟持部３２は、薬収納シート１２上において錠剤６を服用する視野異常者の中心視を基準とする視野異常者の視認可能な領域に設けられていることを特徴とする。【選択図】図１
2018183322.tif 000002
【特許請求の範囲】
【請求項１】
ＰＴＰ包装された錠剤をスライド可能に挟持する挟持部を含む薬収納シートが複数設けられた視野異常者のための服用薬収納具であって、
前記挟持部は、前記薬収納シート上において前記錠剤を服用する前記視野異常者の中心視を基準とする前記視野異常者の視認可能な領域に設けられていることを特徴とする視野異常者のための服用薬収納具。
【請求項２】
請求項１に記載の視野異常者のための服用薬収納具において、
前記薬収納シートの略中央部が前記中心視となるように前記視野異常者の注意を引くための中心視マークと、前記服用に関する情報とが設けられ、前記薬収納シート上に重ねることが可能な補完シートを備えることを特徴とする視野異常者のための服用薬収納具。
【請求項３】
請求項１に記載の視野異常者のための服用薬収納具において、
前記挟持部は、前記視野異常者が注目するための色彩が施されていることを特徴とする視野異常者のための服用薬収納具。
【発明の詳細な説明】
【技術分野】
【０００１】
本発明は、視野異常者のための服用薬収納具に関する。
【背景技術】
【０００２】
従来、医師に処方された薬を患者が決められた時間帯に決められた量を服用することがある。複数種類の薬がある場合など飲み忘れや飲み残しが生じてしまうことがあるため、このような課題に対する対応策として、曜日と時間帯とが一覧表示されて、飲むべき薬が予め収納されたお薬カレンダーなどが開発されている。
【０００３】
本発明に関連する技術として、例えば、特許文献１には、弾性を有するシート材からなる台紙を備え、この台紙に表示された薬を服用すべき日時を表示する日時表示部と、この日時表示部に対応した位置に形成された互いに反対方向に傾斜した部分を有する少なくとも一対の保持スリット部とを備え、これら保持スリット部は台紙の上下方向に対して上方に凸となる曲線状をなし、これら保持スリット部に分離された薬のプッシュスルーパッケージの両側隅部を挟持させることを特徴とする薬の服用管が開示されている。
【先行技術文献】
【特許文献】
【０００４】
【特許文献１】特開２００８−５８７１号公報
【発明の概要】
【発明が解決しようとする課題】
【０００５】
ところが、お薬カレンダーなどに薬が収納された場合に、視野異常者が薬を取り出す際に、収納された領域によっては薬が見えない状態となるため、飲み忘れや飲み残しなどに繋がる虞がある。
【０００６】
本発明の目的は、視野異常者が薬を服用する場合であっても飲み忘れや飲み残しなどを防止することを可能とする服用薬収納具を提供することである。
【課題を解決するための手段】
【０００７】
本発明に係る視野異常者のための服用薬収納具は、ＰＴＰ包装された錠剤をスライド可能に挟持する挟持部を含む薬収納シートが複数設けられた視野異常者のための服用薬収納具であって、前記挟持部は、前記薬収納シート上において前記錠剤を服用する前記視野異常者の中心視を基準とする前記視野異常者の視認可能な領域に設けられていることを特徴とする。
【０００８】
また、本発明に係る視野異常者のための服用薬収納具において、前記薬収納シートの略中央部が前記中心視となるように前記視野異常者の注意を引くための中心視マークと、前記服用に関する情報とが設けられ、前記薬収納シート上に重ねることが可能な補完シートを備えることが好ましい。
【０００９】
また、本発明に係る視野異常者のための服用薬収納具において、前記挟持部は、前記視野異常者が注目するための色彩が施されていることが好ましい。
【発明の効果】
【００１０】
本発明によれば、錠剤が挟持された挟持部が薬収納シート上において錠剤を服用する視野異常者の中心視を基準とする視野異常者の視認可能な領域に設けられている。これにより、視野異常者の目に留まる領域に配置されているため飲み忘れや飲み残しを抑制することができる。
【図面の簡単な説明】
【００１１】
【図１】本発明に係る実施形態において、視野異常者のための服用薬収納具の斜視図である。
【図２】本発明に係る実施形態において、視野異常者のための服用薬収納具の収納部の拡大図である。
【図３】本発明に係る実施形態において、収納部の様々な変形例を示す図である。
【図４】本発明に係る実施形態において、視野異常者のための服用薬収納具の変形例を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、視野異常者のための服用薬収納具１０の斜視図である。図１（ａ）は補助シート１４が薬収納シート１２に重ねられている状態を示す図であり、図１（ｂ）は補助シート１４を捲って薬収納シート１２を露出させた状態を示す図である。図２は、視野異常者のための服用薬収納具１０の収納部２６の拡大図である。図３は、収納部２６の様々な変形例を示す図である。図４は、視野異常者のための服用薬収納具の変形例である服用薬収納具１１を示す図である。
【００１４】
視野異常者のための服用薬収納具１０は、収納部２６が配置された複数枚の薬収納シート１２と、薬収納シート１２に重ねられるように設けられる複数枚の補助シート１４とを備えている。すなわち、複数枚の薬収納シート１２と補助シート１４とが交互に設けられている。
【００１５】
薬収納シート１２は、左端辺に２つの綴じ穴１５が形成されたシートである。薬収納シート１２は、適度な厚みを有する厚紙を用いて構成することができる。薬収納シート１２は、中央部に有効視野に対応し所定の直径を有する第１円領域２２と、第１円領域２２と同心円であり周辺視野に対応する第２円領域２４とを備えている。
【００１６】
ここで、第１円領域２２と第２円領域２４の中心は、視野異常者の中心視となる部分である。
【００１７】
視野異常のない一般的な成人が見た薬収納シート１２の上記中心視を見た場合には、第１円領域２２は視力が高く細かいものを見ることが出来る領域である有効視野であり、第２円領域２４は有効視野以外の視力が低い周辺視野に対応する。
【００１８】
視野異常の原因は、例えば、緑内障、網膜剥離、加齢黄斑変性症、脳卒中、脳腫瘍などのように様々な要因が考えられる。ここでは、薬収納シート１２の右半分が見えない状態となっていることを想定している。
【００１９】
薬収納シート１２の右半分が視認できない状態となっている視野異常者が薬を服用するために収納部２６が左半分に設けられている。収納部２６は、左右の端辺と下側の端辺が固定され上側から内部に収納領域を有するポケット部２８と、ポケット部２８の上側から収納されポケット部２８の内部の収納領域よりも小さいシート部３０とを備えている。
【００２０】
シート部３０は、ＰＴＰ包装された錠剤６をスライド可能に挟持する挟持部３２が図２に示されるように左上側に設けられている。ＰＴＰ包装は、錠剤６が収納される凸部が形成されたプラスチック部と、錠剤６が収納されたプラスチック部を覆うアルミ部で構成され、凸状のプラスチック部分を強く押す事でアルミが破け、収納された錠剤６が取り出される仕組みになっている。
【００２１】
挟持部３２は、凸部を突出させつつ平坦部を抑えるように折り曲げ加工されてＰＴＰ包装された錠剤６を挟持しているが、ＰＴＰ包装された錠剤６と挟持部３２との間には若干のクリアランスが形成されているため長手方向にスライド可能となっている。
【００２２】
挟持部３２は、一方の方向からスライド可能なように他方は封止されており、図１，２の例では左側から挿入可能な状態としている。挟持部３２は、視野異常者が注目するための色彩が施されており、ここでは黒色のペンで縁取りして挟持部３２を際立たせている。
【００２３】
ポケット部２８は、図２に示されるように、ポケット部２８に収納されたシート部３０を取り出す際に指で摘みやすいように上辺の中央部において凹み部が形成されている。また、ポケット部２８には、錠剤６とは異なる粉末薬８が収納されている。
【００２４】
ここで、ポケット部２８とシート部３０は、様々な材質で構成されることが考えられるが、いずれの材質を用いた場合であっても共通するのは透明性を有する点である。透明性を有することでシート部３０がポケット部２８に収納された場合であっても、錠剤６や粉末薬８の存在を確認することができる。
【００２５】
補助シート１４は、薬収納シート１２と同一の大きさを有し、左端辺に２つの綴じ穴１５が形成されたシートである。補助シート１４及び薬収納シート１２に形成された綴じ穴１５を重ね合わせた状態で２つのリング部１７を通すことにより、補助シート１４及び薬収納シート１２がバラバラにならない状態とすることができる。ここでは、リング部１７で綴じるものとして説明したが、もちろん、その他の手段で綴じてもよく、例えば、紐部材を使って綴じてもよい。
【００２６】
補助シート１４には、薬収納シート１２の第２円領域２４に対応する点線の円が記載され、この円の直径を示す線が描かれるとともに、中心には所定の大きさの中心視マーク１８が描かれている。上記直径を示す線の上には、薬の服用の時間を示す情報（例えば、木曜日の寝る前に服用する旨の表示）が記載されている。
【００２７】
補助シート１４は、様々な材質で構成されることができるが、透明性を有する材質で構成される必要がある。補助シート１４を薬収納シート１２に重ねた際に薬収納シート１２が透けた状態になっていることが好ましい。
【００２８】
続いて、上記構成の視野異常者のための服用薬収納具１０の作用について説明する。ここでは、視野異常者が有効視野及び周辺視野の右側半分が見えない状態として説明するが、もちろん、その他の状態も含まれる。
【００２９】
この視野異常者が医師に処方された薬を決められた時間帯に決められた量を服用する際に服用薬収納具１０を用いることが好ましい。具体的には、図１に示されるように、例えば、木曜日の寝る前に服用する必要がある薬を飲む場合に、当該視野異常者は最前面の補助シート１４の中心視マーク１８を注視する。
【００３０】
この状態で、矢印Ａ方向に補助シート１４を捲ることで最後尾に移動させる。そうすると、中心視が第１円領域２２と第２円領域２４の中心に一致する状態となる。このとき、有効視野が第１円領域２２と一致し、周辺視野が第２円領域２４と一致することなる。
【００３１】
この視野異常者は有効視野及び周辺視野の右半分が見えない状態となっているが、服用薬収納具１０は左半分に収納部２６が設けられているため、錠剤６が粉末薬８の存在を確認することができるため、ポケット部２８に手を入れて粉末薬８を取り出すことができる。
【００３２】
また、シート部３０の上部略中央部を指で摘まんでシート部３０を取り出す。この際、視野異常者がシート部３０の中心を中心視として見た場合に、挟持部３２が左上にあるため、右半分が見えない当該視野異常者であっても錠剤６の存在を確認できるとともに、錠剤を指で押さえつつ左側にスライドすることで錠剤６を取り出すことができる。このように、服用薬収納具１０によれば、視野異常者が視認できる領域に収納部２６が設けられているため、薬の存在を確認した状態で薬を服用することができるため飲み忘れや飲み残しを防止することができる。
【００３３】
さらに、収納部２６は、錠剤６を視野異常者が注目するための色彩が施された挟持部３２に挟持されているため、粉末薬８に比べて小さく、特に、飲み忘れがちな錠剤６の存在を確実に注目させることができる。
【００３４】
上記では、有効視野及び周辺視野の右半分が見えない視野異常者のための服用薬収納具１０であるものとして説明したが、もちろん、その他の視野異常者に応じて変形することができる。図３は、収納部２６の様々な変形例を示す図であり、ここでは挟持部３２のみが簡略的に表示されている。ここでは、薬収納シート１２のシート状に中心視マーク１８を記載するものとして説明しているが、もちろん、省略することも可能である。
【００３５】
図３（ａ）は、有効視野及び周辺視野の下半分が見えない視野異常者のために、挟持部３２を含む収納部２６が有効視野の上半分に設けられている。挟持部３２の方向は、右側から挿入する場合と左側から挿入する場合のどちらのパターンで設置してもよい。
【００３６】
図３（ｂ）は、図３（ａ）とは対称的で有効視野及び周辺視野の上半分が見えない視野異常者のために、挟持部３２を含む収納部２６が有効視野の下半分に設けられている。挟持部３２の方向は、右側から挿入する場合と左側から挿入する場合のどちらのパターンで設置してもよい。
【００３７】
図３（ｃ）は、有効視野の全体と周辺視野の左半分が見えない視野異常者のために挟持部３２を含む収納部２６が右上の領域に設けられている。この視野異常者は右側が見える状態となっているため、挟持部３２の方向は右側から挿入することを想定して設置している。
【００３８】
図３（ｄ）は、有効視野の全体と周辺視野の右半分が見えない視野異常者のために挟持部３２を含む収納部２６が左上の領域に設けられている。この視野異常者は左側が見える状態となっているため、挟持部３２の方向は左側から挿入することを想定して設置している。
【００３９】
図３（ｅ）は、有効視野及び周辺視野の右半分が見えない視野異常者もしくは、有効視野及び周辺視野の左上１／４の領域しか見えない視野異常者のために挟持部３２を含む収納部２６が左上の領域に設けられている。この配置は、図３（ｄ）と同一の配置となる。
【００４０】
図３（ｆ）は、有効視野及び周辺視野の左半分が見えない視野異常者もしくは、有効視野及び周辺視野の右上１／４の領域しか見えない視野異常者のために挟持部３２を含む収納部２６が右上の領域に設けられている。この配置は、図３（ｃ）と同一の配置となる。
【００４１】
図３（ｇ）及び図３（ｈ）は、周辺視野の左端部と右端部が見えない視野異常者のために挟持部３２を含む収納部２６が中央部の領域に設けられている。図３（ｇ）は、中心視よりも左側に配置されており、図３（ｈ）は、中心視よりも右側に配置されている。
【００４２】
このように様々な視野異常のパターンに応じて収納部２６の配置位置を変更することで色んな視野異常者が薬を服用する場合であっても飲み忘れを防止させることができる。
【００４３】
図４は、視野異常者のための服用薬収納具１０の変形例である服用薬収納具１１を示す図である。服用薬収納具１１は、服用薬収納具１０とは異なり補助シート１４を用いていない。また、薬収納シート１２において第１円領域２２と第２円領域２４も省略している。この場合であっても、視野異常者が薬収納シート１２を見た場合に一般的には薬収納シート１２の中心を中心視とすることが多いため、薬収納シート１２の左半分の領域に設けられたシート部３０や挟持部３２を把握することができる。
【符号の説明】
【００４４】
６  錠剤、８  粉末薬、１０，１１  視野異常者のための服用薬収納具、１２  薬収納シート、１４  補助シート、１５  綴じ穴、１７  リング部、１８  中心視マーク、２２       第1円領域、２４  第２円領域、２６  収納部、２８  ポケット部、３０  シート部、３２  挟持部。
【図１】
2018183322.tif 000003
【図２】
2018183322.tif 000004
【図３】
2018183322.tif 000005
【図４】
2018183322.tif 000006
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
ＰＴＰ包装された錠剤をスライド可能に挟持する挟持部を含む薬収納シートが複数設けられ視野の一部が欠ける視野異常者のための服用薬収納具であって、
前記挟持部は、前記薬収納シートの略中央部を前記視野異常者の中心視とした場合の該中心視を基準に前記視野異常者の症状に応じた視認可能な領域のみに設けられていることを特徴とする視野異常者のための服用薬収納具。
【請求項２】
請求項１に記載の視野異常者のための服用薬収納具において、
前記薬収納シートの略中央部が前記中心視となるように前記視野異常者の注意を引くための中心視マークと、前記服用に関する情報とが設けられ、前記薬収納シート上に重ねることが可能な補完シートを備えることを特徴とする視野異常者のための服用薬収納具。
【請求項３】
請求項１に記載の視野異常者のための服用薬収納具において、
前記挟持部は、前記視野異常者が注目するための色彩が施されていることを特徴とする視野異常者のための服用薬収納具。
【手続補正２】
【補正対象書類名】明細書
【補正対象項目名】０００７
【補正方法】変更
【補正の内容】
【０００７】
本発明に係る服用薬収納具は、ＰＴＰ包装された錠剤をスライド可能に挟持する挟持部を含む薬収納シートが複数設けられ視野の一部が欠ける視野異常者のための服用薬収納具であって、前記挟持部は、前記薬収納シートの略中央部を前記視野異常者の中心視とした場合の該中心視を基準に前記視野異常者の症状に応じた視認可能な領域のみに設けられていることを特徴とする。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
ＰＴＰ包装された錠剤をスライド可能に挟持する挟持部を含む薬収納シートが複数設けられた、視野の一部が欠ける視野異常者のための服用薬収納具であって、
前記挟持部は、前記薬収納シートの略中央部を前記視野異常者の中心視とした場合の該中心視を基準に前記視野異常者の症状に応じた視認可能な領域のみに設けられていることを特徴とする視野異常者のための服用薬収納具。
【請求項２】
請求項１に記載の視野異常者のための服用薬収納具において、
前記薬収納シートの略中央部が前記中心視となるように前記視野異常者の注意を引くための中心視マークと、服用に関する情報とが設けられ、前記薬収納シート上に重ねることが可能な補完シートを備えることを特徴とする視野異常者のための服用薬収納具。
【請求項３】
請求項１に記載の視野異常者のための服用薬収納具において、
前記挟持部は、前記視野異常者が注目するための色彩が施されていることを特徴とする視野異常者のための服用薬収納具。
【手続補正２】
【補正対象書類名】明細書
【補正対象項目名】０００７
【補正方法】変更
【補正の内容】
【０００７】
本発明に係る服用薬収納具は、ＰＴＰ包装された錠剤をスライド可能に挟持する挟持部を含む薬収納シートが複数設けられた、視野の一部が欠ける視野異常者のための服用薬収納具であって、前記挟持部は、前記薬収納シートの略中央部を前記視野異常者の中心視とした場合の該中心視を基準に前記視野異常者の症状に応じた視認可能な領域のみに設けられていることを特徴とする。
【手続補正３】
【補正対象書類名】明細書
【補正対象項目名】０００８
【補正方法】変更
【補正の内容】
【０００８】
また、本発明に係る視野異常者のための服用薬収納具において、前記薬収納シートの略中央部が前記中心視となるように前記視野異常者の注意を引くための中心視マークと、服用に関する情報とが設けられ、前記薬収納シート上に重ねることが可能な補完シートを備えることが好ましい。